(57)【要約】  【課題】  吊りレールの構造に工夫を凝らすことにより強度の大なる吊りレールを曲げ加工により容易に得ることができ、長尺スパンの吊り元にもよく対応できる天井パネルの吊り下げ装置を提供する。  【解決手段】  建物の梁等構造材から吊り下げられた吊りボルト２と、吊りボルト２により水平に支持された吊り横架材３と、吊り横架材３に天井パネル１を支持する吊りレール４と、を備える。吊りレール４は吊り横架材３の両側に対称的に配備される一対の断面Ｚ形材６からなり、断面Ｚ形材６は垂直なウェブ６ａと、このウェブの上下端から互いに反対向きに水平に張り出された上下フランジ６ｂ，６ｃとを有する形に形成されて、上フランジ６ｂを吊り横架材３の上面に係合固定し、下フランジ６ｃの上に天井パネル１の端部を載せて支持する。【選択図】      図３
2005180139.tif 000002
【特許請求の範囲】
【請求項１】
天井パネルと、建物の梁等構造材から吊り下げられた吊りボルトと、吊りボルトにより水平に支持された吊り横架材と、吊り横架材に前記天井パネルを支持する吊りレールと、を備えた天井パネルの吊り下げ装置において、
前記吊りレールは前記吊り横架材の両側に対称的に配備される一対の断面Ｚ形材からなり、各断面Ｚ形材は垂直なウェブと、このウェブの上下端から互いに反対向きに水平に張り出された上下フランジとを有する形に形成されており、両側方の断面Ｚ形材の各上フランジは前記吊り横架材の上面に係合固定し、一側方の断面Ｚ形材の下フランジの上には隣接する天井パネルの一方の天井パネルの端部を載せて支持するとともに、他側方の断面Ｚ形材の下フランジの上に他方の天井パネルの端部を載せて支持していることを特徴とする、天井パネルの吊り下げ装置。
【発明の詳細な説明】
【技術分野】
【０００１】
本発明は、冷凍冷蔵倉庫等の天井パネルの吊り下げ装置に関する。
【背景技術】
【０００２】
従来の冷凍冷蔵倉庫等の天井パネルの吊り下げ装置として、図４〜６に示すように、建物の構造材である梁等の吊り元から吊りボルト１０を吊り下げ、この吊りボルト１０の下端部に軽量リップ溝形鋼よりなる吊り横架材１１をナット１５で締め付けて水平に支持し、吊り横架材１１に軽量ハット形鋼よりなる吊りレール１２を被せる状態に取り付け、吊りレール１２から外向きに張り出したフランジ１２ａを天井パネル１３の上面に重ね合わせてボルト１４などで締結固定するものがある。
【発明の開示】
【発明が解決しようとする課題】
【０００３】
軽量ハット形鋼からなる吊りレール１２を用いる上記天井パネルの吊り下げ装置において、吊りレール１２を構成する軽量ハット形鋼は、通常、帯鋼を素材としてベンダーなどでハット形状に曲げ加工することにより製造され、強度の大なる軽量ハット形鋼を得るにはハット形のＵ字形部分の曲げ深さ寸法を深くしてＵ字形部の高さＨ寸法を大きくする必要があるが、１工程でＵ字形曲げの深さを深く曲げ加工するには制約があり、ハット形鋼による吊りレール１２には寸法が制約されていた。一方、建物の梁等吊り元の位置に合わせて天井パネル１３の吊り位置が決められるが、建物によっては吊り元と吊り元の間隔（スパン）が長尺である場合があり、この場合高強度の吊りレール１２を必要とする。しかしながら、上記理由によりそれを満たす強度の軽量ハット形鋼（吊りレール１２）が無くて、長尺スパンの吊り元には、十分対応できないという問題があった。つまり、ハット形鋼による吊りレール１２では強度が自在に変えられないため、設計上種々な制約を受けた。この場合、既設の梁と梁の間に別途、梁に対応する部材を付加して、該付加部材に吊りボルト１０を吊り下げるようにすると、それだけ現場施工が複雑困難になり、施工コスト高にもなる。
【０００４】
本発明の目的は、このような問題を解決するためになされたものであり、上記のような天井パネルの吊り下げ装置において、吊りレールの構造に工夫を凝らすことにより高強度の吊りレールも曲げ加工により容易に得ることができ、とくに長尺スパンの吊り元にもよく対応できる天井パネルの吊り下げ装置を提供することにある。
【課題を解決するための手段】
【０００５】
本発明は、天井パネルと、建物の梁等構造材から吊り下げられた吊りボルトと、吊りボルトにより水平に支持された吊り横架材と、吊り横架材に前記天井パネルを支持する吊りレールと、を備えた天井パネルの吊り下げ装置において、前記吊りレールは前記吊り横架材の両側に対称的に配備される一対の断面Ｚ形材からなり、各断面Ｚ形材は垂直なウェブと、このウェブの上下端から互いに反対向きに水平に張り出された上下フランジとを有する形に形成されており、両側方の断面Ｚ形材の各上フランジは前記吊り横架材の上面に係合固定し、一側方の断面Ｚ形材の下フランジの上には隣接する天井パネルの一方の天井パネルの端部を載せて支持するとともに、他側方の断面Ｚ形材の下フランジの上に他方の天井パネルの端部を載せて支持していることに特徴を有するものである。
【発明の効果】
【０００６】
上記構成の天井パネルの吊り下げ装置によれば、吊りレールが一対の断面Ｚ形材からなり、この断面Ｚ形材はＬ形曲げ加工で得られ、ハット形曲げのように寸法制約がなく、強度の異なる種々のもの、とくに強度の大なるものもベンダー等で容易に曲げ加工することができる。したがって、かかる一対の断面Ｚ形材からなる吊りレールを用いることにより長尺スパンの吊り元にも対応して天井パネルを吊り下げることができる。
【発明を実施するための最良の形態】
【０００７】
本発明の好適な実施形態を図面に基づき説明する。図１は本発明に係る天井パネルの吊り下げ装置の一実施例を示す平面図、図２は図１におけるＡ−Ａ線断面図、図３は図１にけるＢ−Ｂ線断面図である。
【０００８】
図１〜３は冷凍冷蔵倉庫等における天井パネルの吊り下げ装置を示している。図１〜３において、天井パネルの吊り下げ装置は、断熱パネルよりなる天井パネル１と、建物の梁等の構造材（図示省略）から吊り金具等を介して吊り下げられた寸切りボルト等よりなる吊りボルト２と、吊りボルト２により水平に支持された吊り横架材３と、吊り横架材３に天井パネル１を支持する吊りレール４により構成される。
【０００９】
吊り横架材３はリップ溝形鋼などの軽量形鋼からなって、吊りボルト２の下端部にナット５で締め付け固定されている。
【００１０】
吊りレール４は吊り横架材３の両側に対称的に配備される一対の軽量形鋼製の断面Ｚ形材６，６からなる。断面Ｚ形材６は帯鋼等を素材として、垂直なウェブ６ａと、このウェブ６ａの上下端から互いに反対向きに水平に張り出された上下フランジ６ｂ，６ｃとを有する形にベンダー等で曲げ加工される。この曲げ加工はＬ形曲げであり、ハット形曲げ加工のように寸法が制約されないため、吊り元間のスパンに応じた強度の異なる種々のものを容易に製造することができる。とくに、長尺スパンの吊り元に対応すべくウェブ６ａの高さＨ（図３参照）の寸法を大きくすることで、最大強度の軽量ハット形鋼よりも強度を大にする軽量の断面Ｚ形材６も容易に製造することができる。
【００１１】
しかるときは、対象建物の梁間のスパンに対応できる強度を持つ断面Ｚ形材６を選択し、この一対の断面Ｚ形材６を吊り横架材３の両側に対称的に配備する。その際、一対の断面Ｚ形材６，６の各上フランジ６ｂは吊り横架材３の上面に載せて係合固定するとともに、各下フランジ６ｃの上に隣接する天井パネル１，１の各端部をそれぞれ載せて支持する。吊りレール４と天井パネル１，１の各端部との間の隙間は、必要に応じて、断熱の目的のためにウレタン樹脂などのシール材７で塞ぐ。
【００１２】
このように構成された天井パネルの吊り下げ装置によれば、吊りレール４を一対の断面Ｚ形材６，６で構成することで吊りレール４の強度アップが図れることにより長尺スパンの吊り元にも対応できる。また、吊りレール４の強度アップに伴い吊りボルト２，２間の間隔を広げることが可能になり、それだけ吊りボルト２の使用本数を減少できる。さらに、吊り横架材３の形状・寸法を変えることで、吊り元スパンの異なる建物に合わせた吊りレール４の割付けが可能になり、吊りレール４の使用数量の減少を可能にする。これら吊りボルト２や吊りレール４の使用数量の減少によりコストの削減を図ることができる。
【産業上の利用可能性】
【００１３】
吊りレールを一対の断面Ｚ形材で構成するという簡単な手段で吊りレールの強度アップを図ることができ、長尺スパンの吊り元にもよく対応でき、冷凍冷蔵倉庫等における天井パネルの吊り下げ装置として利用価値大である。
【図面の簡単な説明】
【００１４】
【図１】本発明の天井パネルの吊り下げ装置の一実施例を示す平面図である。
【図２】図１に於けるＡ−Ａ線断面図である。
【図３】図１に於けるＢ−Ｂ線断面図である。
【図４】従来例の天井パネルの吊り下げ装置の平面図である。
【図５】図４に於けるＣ−Ｃ線断面図である。
【図６】図４に於けるＤ−Ｄ線断面図である。
【符号の説明】
【００１５】
１  天井パネル
２  吊りボルト
３  吊り横架材
４  吊りレール
６  断面Ｚ形材
６ａ  ウェブ
６ｂ  上フランジ
６ｃ  下フランジ
【図１】
2005180139.tif 000003
【図２】
2005180139.tif 000004
【図３】
2005180139.tif 000005
【図４】
2005180139.tif 000006
【図５】
2005180139.tif 000007
【図６】
2005180139.tif 000008